(57)【要約】【課題】防水シートに穴を開けずにコンクリート用鉄筋を取付けできる。【解決手段】断面視略Ｃ字形で溝２４を有し、対向するように突出する引掛片２３が設けられていると共に、支保工１０２に取り付けられるグリップ２と、溝２４内に入り込む防水シート１０を溝２４内で押さえるシートプレート３と、縦横の長さが異なるように形成され、シートプレート３に対して回転可能に軸支されている回転板４と、回転板４と一体的に回転するように設けられ、補強鉄筋１０３が取り付けられる鉄筋取付部５を備え、溝２４内で回転板４の長手方向をグリップ２の引掛片２３の対向方向に合わせるように回転して回転板４を引掛片２３に引っ掛けることにより、シートプレート３で防水シート１０を挟持可能であると共に、回転板４の回転軸が回転板４の長手方向の中心位置から偏芯している鉄筋支持金具１。【選択図】図１
2019218724.tif 000002
【特許請求の範囲】
【請求項１】
断面視略Ｃ字形で溝を有し、対向するように突出する引掛片が設けられていると共に、支保工に取り付けられるグリップと、
前記溝内に入り込む防水シートを前記溝内で押さえるシートプレートと、
縦横の長さが異なるように形成され、前記シートプレートに対して回転可能に軸支されている回転板と、
前記回転板と一体的に回転するように設けられ、補強鉄筋が取り付けられる鉄筋取付部を備え、
前記溝内で前記回転板の長手方向を前記グリップの前記引掛片の対向方向に合わせるように回転して前記回転板を前記引掛片に引っ掛けることにより、前記シートプレートで前記防水シートを挟持可能であると共に、
前記回転板の回転軸が、前記回転板の長手方向の中心位置から偏芯していることを特徴とする鉄筋支持金具。
【請求項２】
前記回転板の長手方向を前記グリップの前記引掛片の対向方向に合わせるように配置した状態で前記回転板の回転を規制し且つ前記回転板が当接して乗り上げ可能な突起が、前記シートプレートに形成されていることを特徴とする請求項１記載の鉄筋支持金具。
【請求項３】
前記グリップの前記引掛片の先端縁の少なくとも防水シートが当たる部分を覆うように樹脂カバーが設けられていることを特徴とする請求項１又は２記載の鉄筋支持金具。
【発明の詳細な説明】
【技術分野】
【０００１】
本発明は、例えばトンネル、立坑等の鉄筋コンクリートと防水シートが設けられる地下構造物の補強鉄筋を支持する鉄筋支持金具に係り、敷設される防水シートに孔を開けずにコンクリート用鉄筋を支持する鉄筋支持金具に関する。
【背景技術】
【０００２】
山岳トンネルでは、掘削した地山の坑壁２０１に所定間隔で鋼製の支保工２０２を建て込むと共に、吹付コンクリート２０３を吹き付け、これらの内側に防水シート２０４を敷設し、更にその内側に鉄筋支持金具２０５を用いて補強鉄筋２０６を格子状に組み込み、移動型枠を配置して覆工コンクリート２０７を打設することが行なわれている（図８参照）。
【０００３】
鉄筋支持金具２０５は、支保工２０２に対応する位置で防水シート２０４に穴を開け、穴部分で支保工２０２に溶接して固定されるのが通常であるが、防水シート２０４に穴を開けると穴部分から漏水が生ずるため、特許文献１、２のように、防水シート２０４に穴を形成せずに防水シートを挟み込んで鉄筋支持金具を取り付ける鉄筋支持金具も提案されている。
【０００４】
特許文献１の鉄筋支持金具は、垂直の基板の両側端を折り返して互いに内方を向く係止部が形成されているベース金具を支保工に固定し、防水シートをベース金具の溝内に入り込ませるようにして吊り鉄筋を支持する蝶番状係止部材をベース金具の溝内で展開し、蝶番状係止部材とベース金具との間に防水シートを挟み込んで固定すると共に、フック状の保持具で防水シートをベース金具に押し付け、防水シート内面に鉄筋支持金具を取付けるようになっている。
【０００５】
また、特許文献２の鉄筋支持金具は、係止板を有する溝状で支保工に取り付けられる受け部材と、受け部材の溝内に入り込む防水シートを押さえる押え板と、押え板に対して回転可能に軸支されているストッパ板と、ストッパ板の表面側に溶接固着されている接続部材のねじ筒を備え、受け部材の溝内でストッパ板を回転してストッパ板を係止板に係合することにより、押え板で防水シートを固定し、防水シート内面に鉄筋支持金具を取付けるようになっている。
【先行技術文献】
【特許文献】
【０００６】
【特許文献１】特開２０１２−４１７２６号
【特許文献２】特許第４４７６１１３号公報
【発明の概要】
【発明が解決しようとする課題】
【０００７】
ところで、特許文献１の鉄筋支持金具は、蝶番状係止部材をベース金具の溝内で展開する際に、防水シートを左右に強く引っ張ることとなるため、防水シートが傷付いてしまい、防水シートが破損し易いという問題がある。即ち、防水シートが薄い場合には、左右への強い引張力によって防水シートが破損して防水性が損なわれ、防水シートが厚い場合には、防水シートの可撓性、柔軟性が低いため蝶番状係止部材をかなり大きな力で押し開く必要があり、この大きな力の押し開きで防水シートが破損してしまう。特に、近年では、防水シートの裏面排水性や緩衝性能の向上のために防水層の裏面に不織布や立体網状体を積層した防水シートが用いられることがあり、この防水シートは従来の防水シートよりも厚みがあるため変形しにくく引っ張られると傷つき易いが、斯様な防水シートを蝶番状係止部材で強い力で引っ張ると防水シートが破損する可能性がかなり高くなる。
【０００８】
これに対して、特許文献２の鉄筋支持金具は、受け部材の溝内でストッパ板を回転して係止板に係合することで防水シートを固定して、防水シート内面に鉄筋支持金具を取付けることができ、蝶番状係止部材を展開する場合のように防水シートを左右に強い力で引っ張らずに固定することが可能であることから、防水シートの破損をある程度防止することができる。しかしながら、この鉄筋支持金具では、ストッパ板の回転動作時に押え板を介して防水シートに力を逃がすことができない状態で引張力がかかるため、防水シートの破損防止の確実性に劣るという課題がある。
【０００９】
本発明は上記課題に鑑み提案するものであり、補強鉄筋を支持する鉄筋支持金具において、防水シートに穴を開けずに防水シートを挟み込んだ状態で鉄筋支持金具を取付けることができると共に、防水シートの破損を確実に防止することができる鉄筋支持金具を提供することを目的とする。
【課題を解決するための手段】
【００１０】
本発明の鉄筋支持金具は、断面視略Ｃ字形で溝を有し、対向するように突出する引掛片が設けられていると共に、支保工に取り付けられるグリップと、前記溝内に入り込む防水シートを前記溝内で押さえるシートプレートと、縦横の長さが異なるように形成され、前記シートプレートに対して回転可能に軸支されている回転板と、前記回転板と一体的に回転するように設けられ、補強鉄筋が取り付けられる鉄筋取付部を備え、前記溝内で前記回転板の長手方向を前記グリップの前記引掛片の対向方向に合わせるように回転して前記回転板を前記引掛片に引っ掛けることにより、前記シートプレートで前記防水シートを挟持可能であると共に、前記回転板の回転軸が、前記回転板の長手方向の中心位置から偏芯していることを特徴とする。
これによれば、シートプレートで防水シートを押さえて防水シートを挟み込んだ状態で鉄筋取付金具を固定することができるので、穴を開けずに防水シート内面に鉄筋支持金具を取付け固定することができる。更に、回転板の長手方向において、偏芯した回転軸から先端までの距離が長い方の回転板の領域ではシートプレートを介して防水シートを強い力で押す一方で、偏芯した回転軸から先端までの距離が短い方の回転板の領域ではシートプレートを介して防水シートを前述の長い方の領域よりも弱い力で押すこととなり、この短い方の回転板の領域側では防水シートに加わる力を逃がすことが可能となる。この結果、回転板を回転させる動作時に、偏芯した回転軸から先端までの距離が長い方の領域側の防水シートが先に溝内に引き込まれて後に距離が短い方の領域側の防水シートが引き込まれることとなり、交互に引き込まれる為に左右（引掛片の対向する方向）に引っ張られない。即ち、回転板の長手方向において偏芯していない回転軸から長手方向の両側の先端までの距離が均等な回転板の場合には、回転軸から長手方向の先端のまでの領域の各々において均等に力が加わって防水シートに引張力が加わるが、これに比べて前述の長手方向に回転軸が偏芯している回転板の場合には防水シートの左右が順番に溝内に引き込まれることによって、防水シートに局所的に加わる強い引張力を逃がすことができる。従って、回転板の回転動作に起因して防水シートが破損することを確実に防止することができる。また、簡単な回転板の回転動作で防水シートを挟み込んだ状態で鉄筋取付部を固定できることから、防水シートの破損を確実に防止し、防水性を損なうことなく防水シート内面にコンクリート用鉄筋を取付けすることができる。
【００１１】
本発明の鉄筋支持金具は、前記回転板の長手方向を前記グリップの前記引掛片の対向方向に合わせるように配置した状態で前記回転板の回転を規制し且つ前記回転板が当接して乗り上げ可能な突起が、前記シートプレートに形成されていることを特徴とする。
これによれば、防水シートを挟み込んだ状態での回転板の配置状態を突起による回転板の回転規制で維持し、防水シートの挟持状態をより安定させることができる。また、突起を回転板が当接して乗り上げ可能とすることにより、回転板の適度な回転動作を確保することができる。
【００１２】
本発明の鉄筋支持金具は、前記グリップの前記引掛片の先端縁の少なくとも防水シートが当たる部分を覆うように樹脂カバーが設けられていることを特徴とする。
これによれば、グリップの引掛片の先端縁の所要箇所を樹脂カバーで覆うことにより、グリップの溝内に入り込ませる防水シートが引掛片の先端で傷つき、破損することを確実に防止することができる。
【発明の効果】
【００１３】
本発明の鉄筋支持金具によれば、防水シートに穴を開けずにコンクリート用鉄筋を支持することができると共に、防水シートの破損を確実に防止することができる。
【図面の簡単な説明】
【００１４】
【図１】（ａ）は本発明による実施形態の鉄筋支持金具の斜視図、（ｂ）は同図（ａ）の鉄筋支持金具に補強鉄筋を取り付けた状態の斜視図。
【図２】実施形態の鉄筋支持金具の分解斜視図。
【図３】（ａ）は実施形態の鉄筋支持金具におけるシートプレート、回転板及び鉄筋取付部の左側面図、（ｂ）はその縦断面図、（ｃ）はその正面図。
【図４】（ａ）は実施形態の鉄筋支持金具におけるグリップの平面図、（ｂ）はその正面図。
【図５】（ａ）は実施形態の鉄筋支持金具でグリップが支保工に取り付けられている状態の正面図、（ｂ）は同図（ａ）の状態から回転板を回転して防水シート挟持対応状態とした正面図。
【図６】（ａ）は実施形態の鉄筋支持金具のグリップが支保工に取り付けられ、取付前の防水シート、シートプレート、回転板及び鉄筋取付部が配置された状態の一部断面説明図、（ｂ）は実施形態の鉄筋支持金具で防水シートを挟み込んで鉄筋支持金具を取り付けた状態の一部断面説明図。
【図７】（ａ）は実施形態の鉄筋支持金具における回転板の回転動作途中の状態を示す正面説明図、（ｂ）は同図（ａ）の状態における防水シートの引き込みを説明する端面説明図、（ｃ）は実施形態の鉄筋支持金具における回転板の回転動作の完了間際の状態を示す正面説明図、（ｄ）は同図（ｃ）の状態における防水シートの引き込みを説明する端面説明図。
【図８】従来の鉄筋支持金具が設けられる施行中のトンネルの斜視説明図。
【発明を実施するための形態】
【００１５】
〔実施形態の鉄筋支持金具〕
本発明による実施形態の鉄筋支持金具１は、図１〜図６に示すように、断面視略Ｃ字形のグリップ２と、防水シート１０を押さえる蝶々形のシートプレート３と、シートプレート３に回転可能に軸支されている回転板４と、回転板４と一体的に回転するように設けられている鉄筋取付部５を備える。シートプレート３と回転板４と鉄筋取付部５は一体的に結合された構造になっており、この一体的な構造体が後述するグリップ２の溝２４に入れるように設けられる。
【００１６】
グリップ２は、略矩形の基板２１と、基板２１の両側の端部から同じ向きに立ち上がる側壁２２・２２と、側壁２２の先端から対向するように内方に突出する引掛片２３・２３を有し、基板２１、側壁２２、引掛片２３は鋼板を折り曲げて一体形成されている。基板２１、一対の側壁２２・２２、一対の引掛片２３・２３で形成されるグリップ２は断面視略Ｃ字形を成し、内側に溝２４が設けられる。
【００１７】
引掛片２３は、平面視略台形に形成され、その中央周辺が両端部周辺よりも幅広に形成されている。引掛片２３の中央周辺で幅広の領域に対応する先端縁２３１は防水シート破損防止用の樹脂カバー２５で覆われている。樹脂カバー２５は断面視略鉤状であり、引掛片２３の先端縁２３１に嵌合して取り付けられている。尚、防水シート破損防止用の樹脂カバーは、引掛片の先端縁の少なくとも防水シートが当たる部分を覆うように設ければよく、例えば本実施形態の引掛片２３の中央周辺で幅広の領域に対応する先端縁２３１と、両端部周辺で端部に向かって漸次幅狭となる領域に対応する先端縁２３２の全体を覆うように設けてもよい。また、引掛片の形状は本実施形態の形状以外に平面視略矩形など適宜形状とすることが可能であり、この際にも樹脂カバーは引掛片の形状に合わせて引掛片の先端縁の少なくとも防水シートが当たる部分を覆うようにして、引掛片の先端縁の一部或いは全部を覆うように設ければよい。
【００１８】
グリップ２は、図５及び図６に示すように、基板２１を吹付コンクリート１０１から露出させた鋼製の支保工１０２に沿わせるように配置され、溶接等で固定して支保工１０２に取り付けられる。即ち、引掛片２３が例えばトンネル空間の内側、地下放水路等の立坑の内側を向くようにして、グリップ２は支保工１０２に固定される。
【００１９】
シートプレート３は、鋼製で平板状に形成され、正面視では矩形部３１の両側に外側に漸次幅が拡がるように形成された台形部３２が設けられた形状になっている。矩形部３１と台形部３２の境界近傍には、一方の側縁３３から途中まで切込み３４が形成され、切込み３４の台形部３２側を若干切起こして突起３５が形成されている。本実施形態では、同じ側の側縁３３に２カ所の切込み３４、３４が形成され、同じ側の側縁３３の近傍に２カ所の突起３５、３５が形成されている。
【００２０】
回転板４は、鋼製で平板状に形成されている。また、回転板４は、正面視で略レーストラック形状で縦横の長さが異なるように形成され、長手方向の両縁が弧状部４１になっていると共に、短手方向の両縁が直線部４２になっている。弧状部４１から直線部４２に至る一方の境目は角張った角部４３になっていると共に、その他方の境目は緩やかに弧状部４１から直線部４２に漸次移行するようになっている。
【００２１】
回転板４の一面側には鉄筋取付部５に相当する長ナットが溶接部６で溶接されて固定され、回転板４と一体的に回転するようになっている。鉄筋取付部５は吊り鉄筋等の補強鉄筋１０３を固定して取り付け可能になっており、例えば長ナットの雌ねじに吊り鉄筋等の補強鉄筋の端部に形成された雄ねじを螺合する等により、鉄筋取付部５に補強鉄筋が取り付けられる。また、鉄筋取付部５は工具で把持して回転板４を回転させる部分としても機能し、例えば六角の長ナットをスパナ等の工具で把持して回転し、回転板４を回転させることが可能である。
【００２２】
回転板４の他面側にはシートプレート３が配置されて回転板４にピン７でピン結合されており、このピン結合によって回転板４はシートプレート３に回転可能に軸支されている。この回転板４のピン結合による回転軸は、回転板４の長手方向の中心位置から偏芯しており、回転軸から長手方向の一方の先端までの距離Ｌ１が回転軸から長手方向の他方の先端までの距離Ｌ２よりも長くなっている。即ち、回転軸から長手方向の先端までの長い距離Ｌ１側の領域αと、回転軸から長手方向の先端までの短い距離Ｌ２側の領域βが設けられる。
【００２３】
また、回転板４がシートプレート３に回転可能に軸支された状態では、シートプレート３に形成された突起３５は回転板４のシートプレート３に対する回転を規制可能であると共に、回転板４が当接して乗り上げ可能な状態となり、突起３５により、回転板４のシートプレート３に対する回転に摩擦抵抗を加えて回転動作をある程度拘束するようになっている。
【００２４】
本実施形態の鉄筋支持金具１で防水シート１０を挟み込んで鉄筋支持金具を固定する際には、吹付コンクリート１０１から露出させた支保工１０２にグリップ２の基板２１を当接して、グリップ２を支保工１０２に溶接等で固定して取り付ける（図５、図６参照）。この支保工１０２がトンネル支保工である場合には、型鋼をトンネル内周面形状に沿ったＲ形状にして構成され、掘進１ｍごと程度に建て込まれる。この場合、支保工１０２を建て込んでからトンネル掘削坑壁に吹付コンクリート１０１が吹き付けられるが、支保工１０２が吹付コンクリート１０１に埋まってしまっている箇所では、吹付コンクリート１０１を少々斫ってグリップ取付位置の支保工１０２を露出させ、グリップ２を取り付ける。
【００２５】
その後、敷設する防水シート１０を展張してグリップ２の引掛片２３・２３を覆うように敷設し（図６（ａ）参照）、その外側から一体となったシートプレート３、回転板４及び鉄筋取付部５を溝２４内に押し込んで、グリップ２の溝２４内に防水シート１０を入り込ませ、グリップ２とシートプレート３で防水シート１０を挟持するように配置する。この配置状態では、シートプレート３と回転板４がグリップ２の溝２４内に配置され、鉄筋取付部５がグリップ２の引掛片２３・２３の間から外側に突出するように設けられると共に、シートプレート３の台形部３２・３２がグリップ２の溝２４の延びる方向に配置され、回転板４の長手方向が溝２４の延びる方向に略倣うように配置される（図１（ａ）、図５（ａ）参照）。
【００２６】
そして、グリップ２の溝２４内において回転軸が偏芯した回転板４を約９０度程度回転し、回転板４の長手方向をグリップ２の引掛片２３・２３の対向方向に合わせるように配置して、回転板４の外側面が引掛片２３の内面に当接するように回転板４を引掛片２３に引っ掛ける。この回転板４の回転動作では、回転板４が当接する少なくとも一個の突起３５から摩擦抵抗を受けながら回動することになるが、回転板４の角部４３は突起３５に接触させずに、回転板４の緩やかに弧状部４１から直線部４２に漸次移行する方の部分を突起３５に乗り上げるようにして回転すると、回転板４をよりスムーズに回転させることが可能である（図５（ａ）の太線矢印参照）。
【００２７】
回転板４の長手方向がグリップ２の引掛片２３・２３の対向方向に合わせるように配置されて回転板４が引掛片２３に引っ掛かった状態では、回転板４或いはその領域α、βによってシートプレート３がグリップ２の基板２１側に付勢され、シートプレート３によって防水シート１０が溝２４内で基板２１の方に押さえられ、防水シート１０を挟み込んだ状態で回転板４及び回転板４と一体をなす鉄筋取付部５が防水シート１０内面に固定される。また、この配置によって回転板４が引掛片２３に引っ掛かった状態では、回転板４が回転動作の途中で乗り上げた突起３５を乗り越えた後の状態になっており、突起３５・３５は回転板４の短手方向の両側に配置され、ストッパーとして回転板４が回転しないように規制する（図１（ｂ）、図５（ｂ）、図６（ｂ）参照）。
【００２８】
その後、トンネル等の地下構造物を構築する場合には、長ナットの雌ねじに吊り鉄筋等の補強鉄筋の端部に形成された雄ねじを螺合する等により、回転板４に設けられた鉄筋取付部５に補強鉄筋１０３を固定して取り付け、補強鉄筋１０３に結束又は適切な治具等により覆工コンクリート用補強鉄筋１０４を取り付ける（図１（ｂ）参照）。更に、移動式型枠を覆工コンクリート打設位置に配置して覆工コンクリートを打設する（図８参照）。尚、山岳トンネルでは通常は掘削長１０．５ｍずつ覆工コンクリートを打設する。
【００２９】
本実施形態の鉄筋支持金具１によれば、シートプレート３で防水シート１０を押さえて防水シート１０を挟み込んだ状態で鉄筋支持金具１を取付けることができるので、穴を開けずに防水シート１０内面に鉄筋支持金具１を取付け固定することができる。また、蝶番状係止部材を展開する場合等のように防水シート１０を左右に強い力で引っ張らずに固定することができることから、防水シート１０の破損を防止することができ、防水シート１０による防水性を確実に得ることができる。また、簡単な回転板４の回転動作で防水シート１０を挟持できることから、防水シート１０の破損を確実に防止し、防水性を損なうことなく防水シート内面にコンクリート用鉄筋を取付けすることができる。
【００３０】
また、回転板４の回転軸を回転板４の長手方向の中心位置から偏芯させることにより、回転板４の長手方向において、偏芯した回転軸から先端までの距離が長い方の回転板４の領域αではシートプレート３を介して防水シート１０を強い力で押す一方で、偏芯した回転軸から先端までの距離が短い方の回転板４の領域βではシートプレート３を介して防水シート１０を領域αよりも弱い力で押すこととなり、この短い方の回転板の領域β側では防水シート１０に加わる力を逃がすことが可能となる。この結果、回転板４を回転させる動作時に、偏芯した回転軸から先端までの距離が長い方の領域α側の防水シート１０の領域が引張方向Ｔ１、巻込方向Ｒ１のように先に溝２４内に引き込まれ、後に距離が短い方の領域β側の防水シート１０の領域が引張方向Ｔ２、巻込方向Ｒ２のように引き込まれることとなり（図７参照）、交互に引き込まれる為に防水シート１０が左右（引掛片２３・２３の対向する方向）に引っ張られない。即ち、回転板の長手方向において偏芯していない回転軸から長手方向の両側の先端までの距離が均等な回転板の場合には、回転軸から長手方向の先端のまでの領域の各々において均等に力が加わって防水シートに引張力が加わるが、これに比べて長手方向に回転軸が偏芯している回転板４の場合には防水シート１０の左右が順番に溝２４内に引き込まれることによって、防水シート１０に局所的に加わる強い引張力を逃がすことができる。従って、回転板の回転動作に起因して防水シート１０が破損することを確実に防止することができる。
【００３１】
尚、初期状態においてシートプレート３を溝２４のほぼ中央に配置した場合には、溝２４内で回転板４を回転して引掛片２３・２３に引っ掛けた状態にするまでの工程において、回転板４の回転軸が偏芯していることにより、シートプレート３が僅かに領域βが引っかかる引掛片２３側に横移動することになる。このシートプレート３の僅かな横移動は、先に領域αが引っかかる引掛片２３側の溝２４内に若干皺寄せされた状態で引き込まれた防水シート１０を皺伸ばし状態とし、結果として、防水シート１０はより左右均等にグリップ２とシートプレート３により挟み込まれた状態となる。従って、回転板４の回転動作のみならずシートプレート３及び防水シート１０自体も僅かにグリップ２に対して横移動して、防水シート１０にかかる引張力が緩衝され、破損が防止される。
【００３２】
また、回転板４の回転を規制し且つ回転板４が当接して乗り上げ可能な突起３５により、防水シート１０を挟み込んだ状態での回転板４の配置状態を突起３５による回転板４の回転規制で維持し、防水シート１０の挟持状態をより安定させることができると共に、回転板４の適度な回転動作を確保することができる。
【００３３】
また、グリップ２の引掛片２３の防水シート１０が当たる先端縁２３１を樹脂カバー２５で覆うことにより、グリップ２の溝２４内に入り込ませる防水シート１０が引掛片２３の先端で傷つき、破損することを確実に防止することができる。
【００３４】
〔本明細書開示発明の包含範囲〕
本明細書開示の発明は、発明として列記した各発明、実施形態の他に、適用可能な範囲で、これらの部分的な内容を本明細書開示の他の内容に変更して特定したもの、或いはこれらの内容に本明細書開示の他の内容を付加して特定したもの、或いはこれらの部分的な内容を部分的な作用効果が得られる限度で削除して上位概念化して特定したものを包含する。そして、本明細書開示の発明には下記変形例や追記した内容も含まれる。
【００３５】
例えば本発明におけるグリップ、シートプレート、回転板、鉄筋取付部の形状、構成や、回転板４の偏芯する回転軸の構成は、上記実施形態のグリップ２、シートプレート３、回転板４、鉄筋取付部５、ピン結合による回転軸に限定されず、本発明の趣旨の範囲内で適宜である。
【００３６】
また、本発明の鉄筋支持金具が取り付けられる防水シートの構成は適宜であり、例えば上記実施形態の防水シート１０は、排水層に相当する立体網状体、緩衝層に相当する不織布、防水層の積層シート等とすることが可能である。尚、この積層シートを防水シート１０とする場合、求められる防水性能に応じて、排水層の厚み２〜３ｍｍ程度、緩衝層の厚み２〜３ｍｍ程度、防水層の厚み０．８〜２ｍｍ程度とすると良好である。
【産業上の利用可能性】
【００３７】
本発明は、例えばトンネル、立坑、地下空間等の鉄筋コンクリートと防水シートが設けられる地下構造物で補強鉄筋を支持する際に利用することができる。
【符号の説明】
【００３８】
１…鉄筋支持金具  ２…グリップ  ２１…基板  ２２…側壁  ２３…引掛片  ２３１、２３２…先端縁  ２４…溝  ２５…樹脂カバー  ３…シートプレート  ３１…矩形部  ３２…台形部  ３３…側縁  ３４…切込み  ３５…突起  ４…回転板  ４１…弧状部  ４２…直線部  ４３…角部  ５…鉄筋取付部  ６…溶接部  ７…ピン  １０…防水シート  １０１…吹付コンクリート  １０２…支保工  １０３…補強鉄筋  １０４…覆工コンクリート用補強鉄筋  Ｌ１…回転軸から回転板の長手方向の一方の先端までの距離  Ｌ２…回転軸から回転板の長手方向の他方の先端までの距離  α、β…領域  ２０１…坑壁  ２０２…支保工  ２０３…吹付コンクリート  ２０４…防水シート  ２０５…鉄筋支持金具  ２０６…補強鉄筋  ２０７…覆工コンクリート  Ｔ１、Ｔ２…引張方向  Ｒ１、Ｒ２…巻込方向
【図１】
2019218724.tif 000003
【図２】
2019218724.tif 000004
【図３】
2019218724.tif 000005
【図４】
2019218724.tif 000006
【図５】
2019218724.tif 000007
【図６】
2019218724.tif 000008
【図７】
2019218724.tif 000009
【図８】
2019218724.tif 000010